(57)【要約】【課題】  送電装置が、受電装置の電力の需要の変化に同期させて送電量を変化させること。【解決手段】  受電装置に対して無線で送電する送電装置は、受電装置における時間的に変化する電力の需要についての情報を取得する。そして、送電装置は、電力の需要についての情報に基づいて、電力の需要が変化するのに応じて、送電する電力の量を変化させて、送電を実行するように、自らの送電機能を制御する。【選択図】  図６
2016001976.tif 000002
【特許請求の範囲】
【請求項１】
受電装置に対して無線で送電する送電手段を有する送電装置であって、
前記受電装置における時間的に変化する電力の需要についての情報を取得する取得手段と、
前記電力の需要についての情報に基づいて、前記電力の需要が変化するのに先立って送電する電力の量を変化させてから、送電が実行されるように前記送電手段を制御する制御手段と、
を有することを特徴とする送電装置。
【請求項２】
前記取得手段は、前記電力の需要についての情報として、時刻ごとの前記受電装置が要求する電力を示すタイムテーブルを取得し、
前記制御手段は、前記タイムテーブルに従って、前記送電手段を制御する、
ことを特徴とする請求項１に記載の送電装置。
【請求項３】
前記取得手段は、前記電力の需要についての情報として、時刻ごとの前記受電装置の動作モードを示す情報を取得し、
前記制御手段は、前記動作モードに対応する電力の需要に基づいて、前記送電手段を制御する、
ことを特徴とする請求項１に記載の送電装置。
【請求項４】
前記受電装置に送電している際に、前記送電装置が送電できる領域に存在する他の受電装置からの電力の要求があった場合に、前記他の受電装置への送電を行うか否かを判定する判定手段をさらに有する、
ことを特徴とする請求項１から３のいずれか１項に記載の送電装置。
【請求項５】
前記判定手段は、前記送電装置が送電できる電力の量と、前記送電装置から前記受電装置へ送電されている電力の量とに基づいて、前記他の受電装置への送電を行うかを判定する、
ことを特徴とする請求項４に記載の送電装置。
【請求項６】
前記送電装置が送電できる電力の量と、前記送電装置から前記受電装置へ送電されている電力の量と、前記他の受電装置が要求する電力の量とに基づいて、前記他の受電装置へ送電できる電力の量を特定する特定手段をさらに有し、
前記制御手段は、前記送電装置から前記受電装置へ送電されている電力の量と前記他の受電装置へ送電できる電力の量とに基づいて、送電する電力の量を変化させてから、送電が実行されるように前記送電手段を制御する、
することを特徴とする請求項４又は５に記載の送電装置。
【請求項７】
前記特定手段は、前記送電装置が送電できる電力の量から、前記送電装置から前記受電装置へ送電されている電力の量を減じた値が、前記他の受電装置が要求する電力の量の値以上である場合は、当該他の受電装置が要求する電力の量を、当該他の受電装置へ送電できる電力の量として特定する、
ことを特徴とする請求項６に記載の送電装置。
【請求項８】
前記特定手段は、前記送電装置が送電できる電力の量から、前記送電装置から前記受電装置へ送電されている電力の量を減じた値が、前記他の受電装置が要求する電力の量の値より小さい場合は、前記送電装置が送電できる電力の量から前記送電装置から前記受電装置へ送電されている電力の量を減じた値を、当該他の受電装置へ送電できる電力の量として特定する、
ことを特徴とする請求項６又は７に記載の送電装置。
【請求項９】
前記制御手段は、複数の受電装置に対して送電している際に、当該複数の受電装置のうちの少なくとも１つの受電装置の電力の需要が減った場合、前記複数の受電装置のうちの、電力の需要が変化する受電装置とは異なる受電装置に対して送電する電力の量を増やすように前記送電手段を制御する、
ことを特徴とする請求項１から８のいずれか１項に記載の送電装置。
【請求項１０】
前記電力の需要についての情報として、時刻ごとに要求される電力に関する情報が予め取得されている場合に、当該要求される電力が変化する時刻の情報を、前記複数の受電装置の少なくともいずれかの受電装置に通知する通知手段をさらに有する、
ことを特徴とする請求項９に記載の送電装置。
【請求項１１】
前記通知手段は、前記要求される電力が減る時刻の情報を、前記複数の受電装置の少なくともいずれかの受電装置に通知する、
ことを特徴とする請求項１０に記載の送電装置。
【請求項１２】
前記通知手段は、前記要求される電力が増える時刻の情報を、前記複数の受電装置の少なくともいずれかの受電装置に通知する、
ことを特徴とする請求項１０又は１１に記載の送電装置。
【請求項１３】
受電装置に対して無線で送電する送電手段を有する送電装置の制御方法であって、
取得手段が、前記受電装置における時間的に変化する電力の需要についての情報を取得する取得工程と、
制御手段が、前記電力の需要についての情報に基づいて、前記電力の需要が変化するのに先立って送電する電力の量を変化させてから、送電が実行されるように前記送電手段を制御する制御工程と、
を有することを特徴とする制御方法。
【請求項１４】
受電装置に対して無線で送電する送電手段を有する送電装置が備えるコンピュータに、請求項１３に記載の制御方法を実行させるためのプログラム。
【発明の詳細な説明】
【技術分野】
【０００１】
本発明は無線電力伝送技術に関する。
【背景技術】
【０００２】
近年、無線により電力を伝送する無線電力伝送技術、非接触充電技術が実用化されている。そして、無線電力伝送を行う場合に、送電側の送電装置が、受電側の受電装置の状況に応じた送電制御を行うことが検討されている（特許文献１、特許文献２参照）。特許文献１には、データを送信すると共に送電を行う装置が、送信するデータを監視し、例えば楽曲の曲間において送電量を大きくすることが記載されている。また、特許文献２には、路面側の給電装置が、受電装置である車の車両情報を受信して、その車両情報に基づいて送信電力を制御することが記載されている。
【先行技術文献】
【特許文献】
【０００３】
【特許文献１】特開２００６−１９７７３４号公報
【特許文献２】特開２００６−３４０５４１号公報
【発明の概要】
【発明が解決しようとする課題】
【０００４】
しかしながら、特許文献１及び特許文献２に記載の技術は、受電装置における電力の需要については何ら考慮されておらず、受電装置の電力の需要の変化に同期して送電することはできないという課題があった。
【０００５】
本発明は上記課題に鑑みなされたものであり、送電装置が、受電装置の電力の需要の変化に同期させて送電量を変化させる技術を提供することを目的とする。
【課題を解決するための手段】
【０００６】
上記目的を達成するため、本発明による送電装置は、受電装置に対して無線で送電する送電手段を有する送電装置であって、前記受電装置における時間的に変化する電力の需要についての情報を取得する取得手段と、前記電力の需要についての情報に基づいて、前記電力の需要が変化するのに先立って送電する電力の量を変化させてから、送電が実行されるように前記送電手段を制御する制御手段と、を有する。
【発明の効果】
【０００７】
本発明によれば、送電装置が、受電装置の電力の需要の変化に同期させて送電量を変化させることができる。
【図面の簡単な説明】
【０００８】
【図１】無線電力伝送システムの概念図。
【図２】送電装置１０１及びＴＶ１０２の機能構成例を示すブロック図。
【図３】送電の需要に関するタイムテーブルの第１の例を示す図。
【図４】送電の需要に関するタイムテーブルの第２の例を示す図。
【図５】ＴＶ１０２が実行する処理の流れの例を示すフローチャート。
【図６】送電装置１０１が実行する第１の処理の流れの例を示すフローチャート。
【図７】スマートフォン１０３の機能構成例を示すブロック図。
【図８】送電装置１０１が実行する第２の処理の流れの例を示すフローチャート。
【図９】送電装置１０１が実行する第３の処理の流れの例を示すフローチャート。
【発明を実施するための形態】
【０００９】
以下、添付図面を参照して本発明の実施の形態を詳細に説明する。
【００１０】
（システム構成）
図１に本実施形態に係る無線電力伝送システムの概念図を示す。図１に示すように、無線電力伝送システムは、送電装置１０１と、受電装置であるテレビ（ＴＶ）１０２とを含み、場合によって、受電装置として、スマートフォン１０３を含む。ここで、ＴＶ１０２は、無線電力伝送により送電装置１０１が送信した電力を受電して動作し、スマートフォン１０３は、無線電力伝送により送電装置１０１が送信した電力を受電して、非接触充電を行う。送電装置１０１は、複数の受電装置が存在する場合に、個別に送電量を変化させて無線電力伝送を行なうことができる。なお、送電装置１０１は、送電装置１０１自身が送電できる限界の電力値の範囲で、各受電装置に対する送電量を制御する。
【００１１】
（装置構成）
図２に、送電装置１０１及びＴＶ１０２の機能構成例を示す。図２において、送電装置１０１は、送電部２０１、送電制御部２０２、送電アンテナ２０３、無線通信部２０４、無線通信用アンテナ２０５、タイムテーブル記憶部２０６、制御部２０７、時計部２０８及びユーザインタフェース（ＵＩ）部２０９を有する。また、ＴＶ１０２は、受電部２１０、電源部２１１、受電アンテナ２１２、無線通信部２１３、無線通信用アンテナ２１４、制御部２１５、アプリ処理部２１６、ユーザインタフェース（ＵＩ）部２１７、及び時計部２１８を有する。
【００１２】
送電装置１０１において、送電部２０１は、送電制御部２０２の制御に基づいて、送電用の無線信号の形成などの、送電に関する処理を行い、送電アンテナ２０３を介して、受電装置への送電を実行する。送電制御部２０２は、例えば、タイムテーブル記憶部２０６に記憶された、受電装置における電力需要の変化予測と、制御部２０７からの指示との少なくともいずれかに応じて、送電部２０１を制御して、送電電力の量を変化させる。送電制御部２０２は、例えば、需要の時間的な変化に対して、その需要の時間的変化に同期するように、実際に電力の需要が変化するのに先立って送電部２０１が送電する電力の量を設定して、その後に送電を実行させる。このように、送電制御部２０２は、電力の需要に関する情報を予め取得して、その情報に基づいて送電電力の量を変化させるため、需要の時間的変化を検出・判定するために要するタイムラグをなくすことができる。
【００１３】
無線通信部２０４は、無線通信用アンテナ２０５を介して、例えば受電装置（ＴＶ１０２）に対して電力の需要に関する情報を要求し、その要求に対する応答として情報を受信する。なお、送電装置１０１はこのような情報の要求をしなくてもよく、受電装置が送電を要求する際に、併せて需要に関する情報を送電装置へと通知してもよい。また、無線通信部２０４は、受電装置からの送電の要求を受信し、その受電装置に対する送電の可否や、様々な情報の通知を行ってもよい。なお、無線通信部２０４は、無線電力伝送に関する通信以外の通信を行ってもよい。
【００１４】
タイムテーブル記憶部２０６は、受電装置が送信し、無線通信部２０４が受信して取得した、電力の需要の時間的変化に関する情報であるタイムテーブル情報を記憶する。タイムテーブル情報は、時刻ごとに受電装置が要求する電力を示してもよいし、時刻ごとに受電装置がどのような動作モードで動作するかを示す情報であってもよい。なお、時刻ごとに受電装置がどのような動作モードで動作するかを示す情報がタイムテーブル情報として用いられる場合は、送電装置１０１は、その動作モードと電力の需要との対応関係を記憶しておく。そして、送電装置１０１は、その記憶した情報を参照することにより、動作モードの時間的変化による電力の需要の時間的変化の情報を取得することができる。
【００１５】
図３に、ＴＶ１０２が時刻ごとにどのような動作モードで動作するかを示す情報としてのタイムテーブルの例を示す。図３に示すように、このタイムテーブルでは、各時刻における視聴予約情報が示されており、ここでのＴＶ１０２の動作モードは「視聴」がされるか否かの２つのモードが含まれる。ここで、図３に示すように、「視聴」の状態以外の情報は、タイムテーブルに含まれなくてもよく、この場合は、送電装置１０１は、その他の時刻では「視聴」がされないと判定することができる。なお、本実施形態及び特許請求の範囲においては、日付も時刻の一部であるため、日付と時刻とを合わせて単に「時刻」と呼ぶ。
【００１６】
送電装置１０１は、図３のようなタイムテーブルを受信すると、その情報をタイムテーブル記憶部２０６に記憶する。一方で、送電装置１０１は、動作モードが「視聴」である時間には、例えば２００Ｗの送電の需要があることを記憶しておく。これにより、送電装置１０１は、図３のタイムテーブルを用いて、例えば、１１月１１日の２３：００〜２４：００の間に、ＴＶ１０２が２００Ｗの送電を要求するだろうことを認識し、送電量を変化させることができる。このように、送電装置１０１は、受電装置（例えばＴＶ１０２）の動作モードごとの送電の需要量の時間的変化に同期して、送信電力の量を変化させることができる。なお、例えばＴＶ１０２が録画機能を有し、その機能のためには１００Ｗの送電が必要である場合は、送電装置１０１は、さらに、動作モードが「録画」である場合は、１００Ｗの送電の需要があることを記憶しておく。そして、この場合、図３のタイムテーブルにおいて、「視聴」以外に「録画」などの動作モードが含まれうる。
【００１７】
図４に、ＴＶ１０２が時刻ごとにどの程度の電力量を要求しているかを示すタイムテーブルの例を示す。この場合、ＴＶ１０２は、自らの動作モードに応じて、各時刻において要求する送電量を特定して、その特定された送電量と時刻との対応関係を示すテーブルを生成して、送電装置１０１へ送信する。送電装置１０１は、図４のようなタイムテーブルを受信すると、その情報をタイムテーブル記憶部２０６に記憶する。そして、送電装置１０１は、この場合は、各動作モードに対応する電力の需要の情報を記憶しておく必要はない。これは、受信したタイムテーブルに、要求される電力の値そのものが含まれているからである。これにより、送電装置１０１は、図４のタイムテーブルを用いて、例えば、１１月１１日の２３：００〜２４：００の間に、ＴＶ１０２が２００Ｗの送電を要求するだろうことを認識し、送電量を変化させることができる。このように、送電装置１０１は、受電装置（例えばＴＶ１０２）の動作モードごとの送電の需要量の時間的変化に同期して、送信電力の量を変化させることができる。
【００１８】
図２に戻り、制御部２０７は、送電装置１０１の制御を行い、時計部２０８は、日時情報を取得し、予め設定した時刻、日時になった事を制御部２０７に通知する。ＵＩ部２０９は、表示器や操作部から構成され、ユーザへ情報を提示し、又はユーザからの操作を受け付ける。
【００１９】
受電装置（ＴＶ１０２）において、受電部２１０は、受電アンテナ２１２を介して、送電装置１０１が無線によって送電した電力を受電する。電源部２１１は、受電部２１０で受電した電力を、ＴＶ１０２で必要な電圧に変換して電源を供給する。無線通信部２１３は、無線通信用アンテナ２１４を介して、他の装置と無線通信を行う。例えば、無線通信部２１３は、無線通信用アンテナ２１４を介して、送電装置１０１に対して、無線電力伝送による送電を要求し、その応答を受信する。また、無線通信部２１３は、ＴＶ１０２における視聴予約など、電力の需要の時間的変化に関連するタイムテーブルを、送電装置１０１へ送信する。さらに、無線通信部２１３は、無線電力伝送に関する様々な通信を送電装置１０１との間で実行し、さらに、場合によっては、無線電力伝送に関する通信以外の通信を、送電装置１０１又は他の通信装置との間で実行する。
【００２０】
制御部２１５は、ＴＶ１０２の制御を行い、アプリ処理部２１６は、ＴＶ機能の全ての処理及びユーザの登録操作による視聴予約などの一連の処理を行う。ＵＩ部２１７は、表示器や操作部から構成され、ユーザへ情報を提示し、又はユーザからの操作を受け付ける。時計部２１８は、日時情報を取得するための時計機能を有し、予め設定した時刻、日時になった事をアプリ処理部２１６に通知する。
【００２１】
なお、図２では、例えばＴＶ１０２におけるＴＶ画像を表示するディスプレイなどの一部の機能を省略しているが、例えばＴＶ１０２がＴＶとしての一般の機能を有するなど、送電装置１０１及びＴＶ１０２は、図示した以外の機能を有していてもよい。
【００２２】
（処理の流れ）
続いて、ＴＶ１０２が送電の需要に関するタイムテーブルを作成して送信する処理の流れ、及び送電装置１０１が受信したタイムテーブルに基づいて実行する第１の処理の流れについて説明する。なお、以下の説明では、既にＴＶ１０２における送電の需要を示すタイムテーブルが、送電装置１０１に送信されたものとする。すなわち、以下の処理が行われる時点で、ＴＶ１０２及び送電装置１０１は、共に、ＴＶ１０２における電力の需要に関するタイムテーブルを保持しているものとする。なお、初期的には、空のタイムテーブルが記憶されてもよいし、以下で述べる「更新」のタイミングで、タイムテーブルを保持していない場合は、新規にタイムテーブルを作成してもよい。
【００２３】
（ＴＶ１０２における処理）
図５に、ＴＶ１０２において視聴予約が行われた場合の処理の流れの例を示す。まず、ＴＶ１０２は、ＵＩ部２１７を介したユーザの操作又はアプリ処理部２１６によるＴＶ１０２によるレコメンデーション機能などにより、視聴予約が行われたかを判定する（Ｓ５０１）。そして、ＴＶ１０２は、視聴予約が行われたと判定した場合（Ｓ５０１でＹＥＳ）、アプリ処理部２１６において、例えばアプリ処理部２１６自身が記憶している視聴予約テーブルを更新する（Ｓ５０２）。なお、ＴＶ１０２は、視聴予約が行われていないと判定した場合（Ｓ５０１でＮＯ）は、視聴予約が行われるかの監視を継続する。なお、この監視は、所定時間ごと、例えば３０分や１時間ごとなどの単位で行われてもよい。
【００２４】
アプリ処理部２１６は、更新したテーブル情報を制御部２１５に受け渡す。制御部２１５は、受け渡されたテーブル情報に基づいて、送電装置１０１への送信のために、送電制御用タイムテーブルを作成する（Ｓ５０３）。なお、この送電制御用タイムテーブルは、図３のような、ＴＶ１０２の時刻ごとの動作モードを示すものであってもよいし、図４のような、ＴＶ１０２の時刻ごとの電力の要求値を示すものであってもよい。制御部２１５は、作成したテーブルを無線通信部２１３に受け渡し、無線通信部２１３は、無線通信用アンテナ２１４を介して、送電制御用タイムテーブルのデータを送電装置１０１へ送信する（Ｓ５０４）。
【００２５】
（送電装置１０１における第１の処理）
図６に、送電装置１０１が実行する第１の処理の流れの例を示す。送電装置１０１は、まず、受電装置（ＴＶ１０２）から、無線通信用アンテナ２０５と無線通信部２０４とを介して、送電制御用タイムテーブルを受信したかを判定する（Ｓ６０１）。そして、送電装置１０１は、無線制御用タイムテーブルを受信したと判定すると（Ｓ６０１でＹＥＳ）、タイムテーブル記憶部２０６に記憶されている送電制御用タイムテーブルの情報を更新する（Ｓ６０２）。なお、送電装置１０１は、無線制御用タイムテーブルを受信していない場合（Ｓ６０１でＮＯ）は、処理をＳ６０３へ進める。
【００２６】
送電制御部２０２は、定期的にタイムテーブル記憶部２０６に記憶されているタイムテーブルを参照する（Ｓ６０３）。そして、送電制御部２０２は、参照したタイムテーブルから、送電電力を変更する時刻に更新がないかを判定し（Ｓ６０４）、更新があった場合（Ｓ６０４でＹＥＳ）は、更新された情報を制御部２０７に通知する（Ｓ６０５）。また、制御部２０７は、通知された更新された時刻を、時計部２０８に通知する（Ｓ６０５）。Ｓ６０５の処理により、送電電力が変更される時刻の、送電装置１０１の内部での更新が完了する。一方、送電制御部２０２は、更新がなかった場合（Ｓ６０４でＮＯ）は、処理をＳ６０３へ戻し、定期的なタイムテーブルの参照を継続する。
【００２７】
その後、時計部２０８は、現在時刻が通知されている送電電力を変更する時刻となったかを判定する（Ｓ６０６）。なお、この判定において、時計部２０８は、現在時刻が、受電装置の電力の需要に変化がある時刻から、送電電力を変更する際の処理時刻などに対応する所定時間だけ前の時刻となったかを判定してもよい。また、通知される時刻が、受電装置の電力の需要に変化がある時刻から上述の所定時間だけ前の時刻を示していてもよい。いずれにしても、時計部２０８は、現在時刻が送電電力を変更する時刻となったと判定した場合（Ｓ６０６でＹＥＳ）に、制御部２０７に対して送電電力を変更する時刻である事を通知する。そして、制御部２０７は、この通知を受け取ると、送電電力を変更するように送電制御部２０２に通知する。そして、送電制御部２０２は、タイムテーブル記憶部２０６に記憶されているタイムテーブルを参照して送電電力を決定し、送電電力を変更するように送電部２０１を制御する（Ｓ６０７）。一方、時計部２０８は、現在時刻が送電電力を変更する時刻となっていないと判定した場合（Ｓ６０６でＮＯ）には、現在時刻が、送電電力を変更すべき時刻に達したかの監視を継続する。
【００２８】
以上の処理により、送電装置１０１は、ＴＶ１０２における送電電力の需要に関する情報を取得し、その需要の時間的変化に同期させて、送電電力を変更することができる。
【００２９】
（送電装置１０１における第２の処理）
続いて、送電装置１０１からＴＶ１０２に対して送電している際に、他の受電装置（スマートフォン１０３）が、送電装置１０１が送電できる送電可能領域に存在することとなった場合についての、送電装置１０１が実行する第２の処理について説明する。
【００３０】
ここで、スマートフォン１０３は、例えば図７に示すように、ＴＶ１０２と同様の機能として、受電部７０１、受電アンテナ７０２、無線通信部７０６、無線通信用アンテナ７０７、制御部７０８、アプリ処理部７０９、及びＵＩ部７１０を有する。なお、スマートフォン１０３は、さらに、電源部７０３、充電制御部７０４及びバッテリー７０５を有する。電源部７０３は、受電部７０１で受電した電力を、バッテリー充電用電源として供給し、充電制御部７０４はバッテリー７０５の充電及び充電制御を行う。
【００３１】
図８に、送電装置１０１が実行する第２の処理の流れの例を示す。
【００３２】
送電装置１０１は、ＴＶ１０２に対してＴＶ視聴に必要な電力を送電している際に、スマートフォン１０３が送電可能領域に存在することとなると、まず、スマートフォン１０３の存在を検知する（Ｓ８０１）。送電装置１０１は、スマートフォン１０３を検知すると、スマートフォン１０３が無線による電力の供給対象であるかを確認するために、無線通信により認証処理を行う（Ｓ８０２）。なお、送電装置１０１は、認証処理によってスマートフォン１０３が電力を供給する対象の受電装置である事を確認できた場合に、例えば、無線通信により認証処理が終了した事をスマートフォン１０３に通知する。これにより、送電装置１０１によるスマートフォン１０３の認証が完了する。
【００３３】
なお、この認証処理の前後、又は認証処理中に、スマートフォン１０３の制御部７０８は、バッテリー７０５のバッテリー残量を調べて充電に必要な受電電力を算出して、送電の要求電力値を送信するように無線通信部７０６へ指示を出す。そして、無線通信部７０６は、無線通信用アンテナ７０７を介して、送電装置１０１へ要求電力値を送信する。
【００３４】
送電装置１０１は、スマートフォン１０３から要求電力値を受信し（Ｓ８０３）、さらに、送電装置１０１自身の最大送電電力値と現在送電されている電力値とに基づいて、新たにスマートフォン１０３へ送電できる電力値を特定する（Ｓ８０４）。なお、スマートフォン１０３へ送電できる電力値は、例えば、最大送電電力値から現在の送電電力値を減じた値として算出される。なお、装置間の優先順位を定めて、送電できる電力値が算出されてもよい。例えば、スマートフォン１０３の充電のための送電と、ＴＶ１０２における番組視聴のための送電とで、優先順位が比較されて、その結果に基づいて、送電できる電力値が算出される。また、優先順位は、例えば、バッテリーで駆動する装置に対しては優先順位が低く、送電した電力を主として用いて駆動する装置に対しては優先順位を高くするように設定されてもよい。
【００３５】
その後、送電装置１０１は、算出された送電できる電力に基づいて、スマートフォン１０３への送電の可否を判定する（Ｓ８０５）。例えば、送電装置１０１は、送電できる電力値が所定値以下である場合に、スマートフォン１０３へ送電できないと判定する。ここで所定値は、例えば０又は微小正数である。なお、Ｓ８０５の判定では、例えば、スマートフォン１０３が、一定期間、継続的に送電を要求しており、その期間が満了する前に他の受電装置による需要が増大することが分かっている場合などに、送電ができないと判定されてもよい。
【００３６】
送電装置１０１は、スマートフォン１０３へ送電できないと判定した場合（Ｓ８０５でＮＯ）、現在は送電できない旨の通知を、スマートフォン１０３へ送信する（Ｓ８０６）。スマートフォン１０３は、この通知を受信すると、例えばＵＩ部７１０に非接触充電ができない旨を表示して、ユーザへ受電できないことを通知する。
【００３７】
なお、送電装置１０１は、Ｓ８０５の判定の際に、タイムテーブル記憶部２０６に記憶されたタイムテーブルを参照し、現在視聴中の番組が視聴予約されたものである場合、その視聴終了予定時刻を調べることができる。このとき、送電装置１０１は、視聴の終了後にＴＶ１０２への送電電力を小さくする事で、スマートフォン１０３へ送電できる場合、視聴終了予定時刻を、すなわち、ＴＶ１０２から要求される送電電力の量が減る時刻を、スマートフォン１０３に通知してもよい。これにより、スマートフォン１０３は、例えばＵＩ部７１０に、その通知された時刻を、非接触充電の開始予定時刻として表示する事ができる。また、スマートフォン１０３は、この開始予定時刻と現在のバッテリー残量から充電完了予想時刻を算出し、ＵＩ部７１０に表示するようにすることもできる。また、送電装置１０１は、ＴＶ１０２の視聴予約を確認して、ＴＶ１０２から要求される送電電力の量が増える時刻の情報を、スマートフォン１０３に通知してもよい。これにより、スマートフォン１０３は、例えば、バッテリーが満充電とならない時点で送電装置１０１によるスマートフォン１０３への送電が打ち切られる場合に、その打ち切られる時刻を、ＵＩ部７１０を介してユーザに通知することができる。このように、ＴＶ１０２によって要求される送電電力の量が変化する時刻をスマートフォン１０３に通知することで、ユーザは、効率的に充電が行われる時刻を選択して、スマートフォン１０３を送電装置１０１の送電可能領域に設置することが可能となる。
【００３８】
送電装置１０１は、スマートフォン１０３へ送電できると判定した場合（Ｓ８０５でＹＥＳ）、続いて、スマートフォン１０３からの要求電力により送電できるかを判定する（Ｓ８０７）。この判定は、例えば、送電装置１０１が送信できる最大送電電力の値から、ＴＶ１０２などの他の受電装置に現在送電されている電力の値を減じた値が、スマートフォン１０３からの要求電力の値以上であるかを判定することにより行われる。送電装置１０１は、例えば、送電装置１０１の最大送電電力値から、他の受電装置に現在送電中の電力値を減じた値が、スマートフォン１０３からの要求電力の値以上である場合は、スマートフォン１０３にその要求電力で送電可能と判定する。なお、この場合も、上述のような優先順位が用いられてもよい。この場合、例えば、スマートフォン１０３の充電よりも優先順位が高い送電先の受電装置が存在する場合、その送電電力の総和を、他の受電装置に現在送電中の電力値として、上述の判定を行う。すなわち、この場合は、スマートフォン１０３の充電よりも優先順位が低い送電中の電力については、他の受電装置に現在送電中の電力値として考慮しないことができる。これにより、優先順位が高い送電先については、要求電力での送電が可能と判定される確率が高くなる。
【００３９】
送電装置１０１は、スマートフォン１０３からの要求電力により送電できると判定した場合（Ｓ８０７でＹＥＳ）、スマートフォン１０３への送電電力をその要求電力の値とするように送電部２０１を制御して、送電電力値を変更する（Ｓ８０８）。そして、送電装置１０１は、ＴＶ１０２とスマートフォン１０３との両方に対する送電を実行する。
【００４０】
一方、送電装置１０１は、スマートフォン１０３からの要求電力により送電できないと判定した場合（Ｓ８０７でＮＯ）、送電可能な電力値で送電することをスマートフォン１０３へ通知する（Ｓ８０９）。ここでの、送電可能な電力値とは、例えば、送電装置１０１の最大送電電力値から、他の受電装置に現在送電中の電力値を減じた値である。すなわち、送電装置１０１は、送電装置１０１の最大送電電力値から、他の受電装置に現在送電中の電力値を減じた値が、スマートフォン１０３からの要求電力の値より小さい場合、その減算結果の値をスマートフォン１０３へ送電可能な電力値として特定する。なお、この場合も、上述のような優先順位が用いられてもよい。この場合は、スマートフォン１０３の充電よりも優先順位が低い送電中の電力については、他の受電装置に現在送電中の電力値として考慮せずに、スマートフォン１０３への送電可能な電力値が特定される。これにより、優先順位が高い送電先については、送電電力を大きく確保することができる。
【００４１】
スマートフォン１０３は、送電可能な電力の通知を受信すると、ＵＩ部７１０に、例えば、通常よりも充電時間がかかることを表示する。また、スマートフォン１０３は、実際の受電電力値や現在のバッテリー残量から、充電完了予想時刻を算出して、充電完了予想時刻を表示するようにしてもよい。
【００４２】
送電装置１０１は、送電可能な電力の通知の後、その送電可能な電力をスマートフォン１０３への送電電力とするように送電部２０１を制御して、送電電力値を変更する（Ｓ８０８）。そして、送電装置１０１は、ＴＶ１０２とスマートフォン１０３との両方に対する送電を実行する。
【００４３】
このように、第２の処理により、送電装置１０１がＴＶ１０２に送電中に、他の受電装置（スマートフォン１０３）が送電装置１０１の送電可能範囲に存在することとなった場合にも、ＴＶ１０２の電力の需要に同期した送電電力の配分を行うことができる。なお、複数の受電装置に対して、その電力の需要に応じて、例えば、受電中の受電装置を優先して、又はそれぞれの受電装置の動作モードの優先順位を比較することにより、適切な送電電力の配分を行うことができる。
【００４４】
（送電装置１０１における第３の処理）
次に、送電装置１０１が、視聴中のＴＶ１０２とスマートフォン１０３に送電中の場合、またはスマートフォン１０３が送電装置１０１からの送電による充電開始の待機中状態の場合において、送電装置１０１が実行する第３の処理の流れについて説明する。図８に、送電装置１０１が実行する第２の処理の流れの例を示す。
【００４５】
まず、送電装置１０１が視聴中のＴＶ１０２とスマートフォン１０３に送電中またはスマートフォン１０３が送電装置１０１からの送電による充電開始の待機中の状態において、ＴＶ１０２における番組視聴が終了したとする。このとき、ＴＶ１０２は、待機電力のみが必要になった場合、送電装置１０１へ受電電力変更要求の通知をし、送電装置１０１はこの電力変更要求を受信する（Ｓ９０１）。送電装置１０１は、この通知を受信すると、送電部２０１からのＴＶ１０２への送電電力値を、待機電力分に相当する量となるように変更する（Ｓ９０２）。なお、例えば、タイムテーブルに従って、視聴予約がされていた番組の終了時刻において自動的にＴＶ１０２における番組視聴が終了する場合など、自動でＴＶ１０２の動作モードが変更される場合は、Ｓ９０１の処理は省略されてもよい。すなわち、送電装置１０１は、ＴＶ１０２からの電力変更要求を受信しない場合でも、タイムテーブルに従って電力の需要の時間的変化を特定し、その変化に同期させて、送電電力を待機電力分に相当する量まで減らしてもよい。
【００４６】
その後、送電装置１０１は、ＴＶ１０２と同時にスマートフォン１０３へ送電していたかを判定する（Ｓ９０３）。そして、送電装置１０１は、スマートフォン１０３へは送電しておらず、充電開始の待機中状態であると判定すると（Ｓ９０３でＮＯ）、スマートフォン１０３へ、要求する電力値を送信するように通知する（Ｓ９０４）。そして、送電装置１０１は、スマートフォン１０３からの要求電力値を受信すると、送電装置１０１自身の最大送電電力値と現在送電中の電力値とから、スマートフォン１０３へ送電できる電力値を算出し、要求電力値で送電できるかを判定する（Ｓ９０５）。なお、Ｓ９０５の判定は、例えば、送電装置１０１が送信できる最大送電電力の値から、他の受電装置に現在送電されている電力の値を減じた値が、スマートフォン１０３からの要求電力の値以上であるかを判定することにより行われる。この処理は、上述のＳ８０７に関して説明した処理と同様であるため、ここでは説明を省略する。
【００４７】
送電装置１０１は、スマートフォン１０３に要求電力値で送電できると判定した場合（Ｓ９０５でＹＥＳ）、この要求電力値分の電力でスマートフォン１０３に送電するように送電部２０１を制御して、送電電力値を変更する（Ｓ９０６）。そして、送電装置１０１は、変更後の送電電力で、スマートフォン１０３への送電を開始する（Ｓ９０７）。
【００４８】
一方で、スマートフォン１０３に要求電力値で送電できないと判定した場合（Ｓ９０５でＮＯ）、送電可能な電力値で送電することをスマートフォン１０３へ通知する（Ｓ９０８）。スマートフォン１０３は、この通知を受信すると、例えばＵＩ部７１０に通常よりも充電時間がかかる事を表示する。また、スマートフォン１０３は、例えば、実際の電力値及び現在のバッテリー残量から、充電完了予想時刻を算出して、充電完了予想時刻を表示するようにしてもよい。そして、送電装置１０１は、この送電可能な電力でスマートフォン１０３に送電するように送電部２０１を制御して、送電電力値を変更し（Ｓ９０６）、変更後の送電電力で、スマートフォン１０３への送電を開始する（Ｓ９０７）。
【００４９】
一方、送電装置１０１は、スマートフォン１０３に送電中の場合（Ｓ９０３でＹＥＳ）、スマートフォン１０３への送電電力の変更が必要か調べる（Ｓ９０９）。例えば、送電装置１０１は、Ｓ８０７において、スマートフォン１０３が要求した電力値で送電可能でないと判定して、送電可能な範囲でスマートフォン１０３に送電していた場合、送電電力の変更が必要であると判定する。そして、送電装置１０１は、送電電力の変更が必要であると判定した場合（Ｓ９０９でＹＥＳ）、送電部２０１を制御して送電電力値を変更し（Ｓ９１０）、変更後の送電電力で、スマートフォン１０３への送電を継続する。一方、送電装置１０１は、送電電力の変更が必要でないと判定した場合（Ｓ９０９でＮＯ）は、送電電力を変更せずに、スマートフォン１０３への送電を継続する。
【００５０】
このように、第３の処理により、送電装置１０１は、ＴＶ１０２の時間的に変動する電力の需要に同期してＴＶ１０２へ送電しながら、スマートフォン１０３への送電電力を変更することができる。これにより、送電装置１０１は、複数の受電装置に対して適切に送電電力を配分することができる。
【００５１】
なお、明らかに、上述のＴＶ１０２及びスマートフォン１０３は、受電装置の一例であり、他の機器に受電装置が搭載されうる。また、送電装置１０１は、送電専用でなくてもよく、他の用途を有する機器が、送電装置１０１として機能してもよい。また、上述の説明では、多くとも２つの受電装置のみが存在する場合について説明したが、３つ以上の受電装置が存在する場合にも、上述の各処理を同様に適用することができる。
【００５２】
＜＜その他の実施形態＞＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５３】
１０１：送電装置、１０２、１０３：受電装置、２０１：送電部、２０２：送電制御部、２０４：無線通信部、２０６：タイムテーブル記憶部
【図１】
2016001976.tif 000003
【図２】
2016001976.tif 000004
【図３】
2016001976.tif 000005
【図４】
2016001976.tif 000006
【図５】
2016001976.tif 000007
【図６】
2016001976.tif 000008
【図７】
2016001976.tif 000009
【図８】
2016001976.tif 000010
【図９】
2016001976.tif 000011